(57)【要約】【課題】屋外で使用される照明器具において、照明器具の外周のあらゆる箇所から雨水や雪解け水が垂れ落ちたり、照明器具の外周のあらゆる箇所につららが発生したりしないようにすることを目的とする。【解決手段】器具本体１１０は断面円弧状の頂部を上にして配置されるドーム状のランプ笠１１１を有し、ランプ笠１１１の内部にランプおよびランプを点灯させる点灯装置を取り付ける。ランプ笠１１１の底部の外周には断面Ｕ字状のＵ字状溝１１１ａを設けている。Ｕ字状溝１１１ａはランプ笠１１１の底部の外周に沿ってＵ字型に水路を構成する。ランプ笠１１１の外面に付着した雨水や雪解け水は、ランプ笠１１１の外面に沿ってＵ字状溝１１１ａに流れ落ち、設置板１１２側に設けた排水口１１１ｂから排出される。【選択図】図１
2012038633.tif 000002
【特許請求の範囲】
【請求項１】
ランプを点灯させる点灯装置と、前記点灯装置と前記点灯装置により点灯されるランプとが取り付けられる器具本体とを備える照明器具において、
前記器具本体は、
前記点灯装置と前記ランプとが内部に取り付けられ、前記ランプの光を下方に照射するランプ笠部と、
前記ランプ笠部の外側に設けられ前記ランプ笠部の外側に水路を構成する排水溝部とを有する
ことを特徴とする照明器具。
【請求項２】
前記排水溝部は、
前記ランプ笠部の外面に付着して前記ランプ笠部の外面を流れ落ちる水滴を受け止め、受け止めた水滴を前記水路の端部から排出する
ことを特徴とする請求項１記載の照明器具。
【請求項３】
前記ランプ笠部は、断面弧状の頂部を上にして配置されるドーム状のランプ笠部であって、
前記排水溝部は、前記ランプ笠部の底部の外周に沿って前記ランプ笠部の底部の外周の一部を除いた部分に設けられ、前記ランプ笠部の底部の外周に沿ってＵ字形に水路を構成する
ことを特徴とする請求項１または請求項２記載の照明器具。
【請求項４】
前記排水溝部は、前記水路の端部が下方に配置されるように斜めに設けられた
ことを特徴とする請求項１〜請求項３いずれかに記載の照明器具。
【請求項５】
前記排水溝部は、前記点灯装置と前記ランプとの少なくともいずれかが発する熱により温められる
ことを特徴とする請求項１〜請求項４いずれかに記載の照明器具。
【発明の詳細な説明】
【技術分野】
【０００１】
本発明は、例えば、屋外に設置される照明器具に関するものである。
【背景技術】
【０００２】
図１０は、従来の屋外用照明器具１９０を表した図である。
図１０に示すように、電柱１９１などに設置される屋外用照明器具１９０は、雨水や雪解け水が器具外周のあらゆる箇所から垂れ落ち、気温が寒いと雨水や雪解け水が器具外周のあらゆる箇所につららを形成してしまう。
【０００３】
屋外に設置されて光を外部へ照射する屋外用照明器具において、雨水や雪解け水が垂れ落ちる水垂れ部分を０度以上に常に保持するために発熱体を設けて、つらら防止対策を施した技術がある（特許文献１）。
また、水垂れ部分の上側に雪を浮かせて保持する雪保持部材を設けて、つらら防止対策を施した技術がある（特許文献２）。
【先行技術文献】
【特許文献】
【０００４】
【特許文献１】特開２００２−１５０８０７号公報
【特許文献２】特開２００２−１５０８０８号公報
【発明の概要】
【発明が解決しようとする課題】
【０００５】
しかしながら、このような屋外用照明器具においては、つらら防止対策用の部品（発熱体、雪保持部材）を設ける必要があり、製造コストが高くなるという課題があった。
また、発熱体が故障した場合、水垂れ部分が０度以下になり、つららが出来てしまうという課題もあった。
【０００６】
本発明は、例えば、照明器具の外周のあらゆる箇所から雨水や雪解け水が垂れ落ちたり、照明器具の外周のあらゆる箇所につららが発生したりしないようにすることを目的とする。
【課題を解決するための手段】
【０００７】
本発明の照明器具は、ランプを点灯させる点灯装置と、前記点灯装置と前記点灯装置により点灯されるランプとが取り付けられる器具本体とを備え、前記器具本体は、前記点灯装置と前記ランプとが内部に取り付けられ、前記ランプの光を下方に照射するランプ笠部と、前記ランプ笠部の外側に設けられ前記ランプ笠部の外側に水路を構成する排水溝部とを有する。
【発明の効果】
【０００８】
本発明によれば、例えば、雨水や雪解け水を排水溝部で受け止めて排水溝部の端部から排水することができるため、照明器具の外周から雨水や雪解け水が垂れ落ちたり、照明器具の外周につららが発生したりすることを防ぐことができる。また、発熱体や雪保持部材が不要なため、製造コストを抑えることができる。
【図面の簡単な説明】
【０００９】
【図１】実施の形態１における屋外用照明器具１００の上面斜視図。
【図２】実施の形態１における屋外用照明器具１００の側面図。
【図３】実施の形態１における屋外用照明器具１００の断面図。
【図４】実施の形態１における屋外用照明器具１００の分解斜視図。
【図５】実施の形態１における屋外用照明器具１００の別例を示す上面斜視図。
【図６】実施の形態１における屋外用照明器具１００の別例を示す平面図。
【図７】実施の形態２における屋外用照明器具１００の側面図。
【図８】実施の形態２における屋外用照明器具１００の断面図。
【図９】実施の形態２における屋外用照明器具１００の別例を示す側面図。
【図１０】従来の屋外用照明器具１９０を表した図。
【発明を実施するための形態】
【００１０】
実施の形態１．
図１は、実施の形態１における屋外用照明器具１００の上面斜視図である。
図２は、実施の形態１における屋外用照明器具１００の側面図である。
図３は、実施の形態１における屋外用照明器具１００の断面図であり、図２に示すＡ−Ａ線部分（屋外用照明器具１００の中心部分）の断面を表している。
図４は、実施の形態１における屋外用照明器具１００の分解斜視図である。
実施の形態１における屋外用照明器具１００について、図１〜図６に基づいて説明する。
【００１１】
図１、図２において、屋外用照明器具１００は、屋外に設けられた電柱、壁面や外灯用のポールなどの立設物に設置され、屋外を照らす照明装置である。
屋外用照明器具１００は、器具本体１１０と下面カバー１２０とを備える。
【００１２】
器具本体１１０は、ランプ笠１１１とランプ笠１１１に結合した設置板１１２とを有する。
設置板１１２は、電柱やポールに固定される部材であり、電柱やポールの外形に対応する凹部を有する。また、屋外用照明器具１００が壁面などの平面に取り付けられる場合、設置板１１２は凹部ではなく平面部を有する。
【００１３】
ランプ笠１１１は外面に付着した水滴が流れ落ちるドーム状の部材であり、ランプ笠１１１の内部には後述するように点灯装置１３０やランプ１４０が取り付けられる。
ここで、ドーム状とは断面円弧状の立体形状である。つまり、ドーム状には、半球形の他、図１に示すような半楕円球体形、長手方向の端部が平らな半円筒形などの形状を含む。
ランプ笠１１１は、断面円弧状の頂部を上にして配置され、ランプ１４０の光を底部から下方へ照射する。
【００１４】
ランプ笠１１１は、設置板１１２と結合する部分を除いて、底部の外周に断面Ｕ字状（図３参照）のＵ字状溝１１１ａを有する。
Ｕ字状溝１１１ａは、ランプ笠１１１の底部の外周に沿ってＵ字形に配置した水路を構成し、水路の端部に排水口１１１ｂを有する（図１参照）。
【００１５】
Ｕ字状溝１１１ａは、ランプ笠１１１の外面に付着してランプ笠１１１の外面に沿って流れ落ちた水滴を受け止め、受け止めた水滴を設置板１１２側の排水口１１１ｂから排出する。
つまり、ランプ笠１１１に降った雨水やランプ笠１１１に降ってランプ笠１１１で温められ融けた雪解け水は、屋外用照明器具１００の取付部側（例えば、電柱側）から垂れ落ちる。
これにより、従来（図１０参照）のように、照明器具の外周のあらゆる箇所から雨水や雪解け水が垂れ落ちたり、照明器具の外周のあらゆる箇所につららが発生したりすることを防ぐことができる。
【００１６】
図３、図４に示すように、器具本体１１０のランプ笠１１１の内部には、点灯装置１３０とランプ１４０とを取り付ける。ランプ笠１１１の内部には、点灯装置１３０を電気的に接続する点灯装置接続部やランプ１４０を電気的に接続するランプ接続部を設ける（図示省略）。
【００１７】
点灯装置１３０は、商用電源または蓄電池から供給される電力をランプ１４０に供給してランプ１４０を点灯させる装置である。例えば、点灯装置１３０は、商用電源から交流電流・電圧を入力し、入力した交流電流・電圧を整流および平滑し、整流および平滑して得られた直流（脈流）電流・電圧を降圧し、降圧した直流電流・電圧をランプ１４０に出力する。
【００１８】
ランプ１４０は、複数の発光ダイオードを横並びに配置し、横並びに配置した複数の発光ダイオードを電気的に直列に接続したものである。但し、発光ダイオード以外の光源（例えば、蛍光灯）をランプ１４０として用いても構わない。
【００１９】
ランプ笠１１１の内部に点灯装置１３０やランプ１４０を直接取り付けることにより、点灯装置１３０またはランプ１４０で発生した熱をランプ笠１１１全体に伝導し、ランプ笠１１１全体を温めることができる。
そして、ランプ笠１１１の外面に付着した雪を融かし、また、Ｕ字状溝１１１ａに溜まった雨水または雪解け水が凍結することを防ぐことができる。
【００２０】
下面カバー１２０は、ランプ笠１１１の開口した底部に取り付けられ、ランプ笠１１１の内部を保護する（図４参照）。
下面カバー１２０は、透明または半透明の部材であり、ランプ１４０が発した光を透過して下方へ照射する。
また、下面カバー１２０の内面にはギザギザの凹凸を設け、ランプ１４０の光を拡散して照射できるようにしている。
【００２１】
図５は、実施の形態１における屋外用照明器具１００の別例を示す上面斜視図である。
図６は、実施の形態１における屋外用照明器具１００の別例を示す平面図である。
器具本体１１０のランプ笠１１１の形状は、図１のような断面円弧状の立体形状に限らない。例えば、ランプ笠１１１の形状は、断面三角形状（図５（ａ）参照）や断面四角形状（図５（ｂ）参照）などの立体形状であっても構わない。
また、器具本体１１０の形状は、奥行きが長い縦長の形状（図１参照）ではなく、幅が長い横長の形状（図６参照）であっても構わない。
【００２２】
実施の形態２．
雨水や雪解け水をＵ字状溝１１１ａの排水口１１１ｂへ流しやすくする形態について説明する。
【００２３】
図７は、実施の形態２における屋外用照明器具１００の側面図である。
図８は、実施の形態２における屋外用照明器具１００の断面図であり、図７と同じ向きで屋外用照明器具１００の内部を示している。
実施の形態２における屋外用照明器具１００について、図７および図８に基づいて説明する。
【００２４】
屋外用照明器具１００の構成は、実施の形態１（図２参照）と同じである。
但し、器具本体１１０のランプ笠１１１は設置板１１２に対して斜めに結合され、Ｕ字状溝１１１ａの排水口１１１ｂはＵ字状溝１１１ａの先端部（ランプ笠１１１の先端部）より低い位置に配置されている。つまり、器具本体１１０は、電柱等の据付対象物に据え付けられる場合、設置板１１２を起点として水平方向に対して斜め上方向を向いて設置される。
これにより、雨水や雪解け水がＵ字状溝１１１ａの排水口１１１ｂへ流れやすくなる。
【００２５】
図９は、実施の形態２のおける屋外用照明器具１００の別例を示す側面図である。
図９に示すように、器具本体１１０のランプ笠１１１は設置板１１２に対して真っすぐ水平に結合しても構わない。この場合、Ｕ字状溝１１１ａの排水口１１１ｂがＵ字状溝１１１ａの先端部より低い位置に配置されるように、Ｕ字状溝１１１ａをランプ笠１１１に対して斜めに設ければよい。
【符号の説明】
【００２６】
１００  屋外用照明器具、１１０  器具本体、１１１  ランプ笠、１１１ａ  Ｕ字状溝、１１１ｂ  排水口、１１２  設置板、１２０  下面カバー、１３０  点灯装置、１４０  ランプ、１９０  屋外用照明器具、１９１  電柱。
【図１】
2012038633.tif 000003
【図２】
2012038633.tif 000004
【図３】
2012038633.tif 000005
【図４】
2012038633.tif 000006
【図５】
2012038633.tif 000007
【図６】
2012038633.tif 000008
【図７】
2012038633.tif 000009
【図８】
2012038633.tif 000010
【図９】
2012038633.tif 000011
【図１０】
2012038633.tif 000012